(57)【要約】【課題】木質ペレット燃料と薪状固形燃料とを同時且つ適切に燃焼できると共に、燃焼にかかる自動的且つ適切なコントロールが可能なペレットストーブ及びそれに用いる薪用燃焼ケースを提供すること。【解決手段】木質ペレット燃料１０を自動的に供給し、排気ファン１９によって強制的に排気することで燃焼用の空気が適切に供給されるように設けられ、供給された木質ペレット燃料１０を受けて燃焼させるようにケース状に形成されて燃焼用の空気が流入できるように火格子状部２１が設けられているペレット用燃焼ケース２０を備えるペレットストーブにおいて、ペレット用燃焼ケース２０の上に載置されるように設けられ、薪状固形燃料５０を受けて燃焼させるようにケース状に形成されていると共に、少なくとも下面３１が火格子状に設けられている薪用燃焼ケース３０を備える。【選択図】図１
2010230186.tif 000002
【特許請求の範囲】
【請求項１】
木質ペレット燃料を自動的に供給し、排気ファンによって強制的に排気することで燃焼用の空気が供給されるように設けられ、供給された前記木質ペレット燃料を受けて燃焼させるようにケース状に形成されて前記燃焼用の空気が流入できるように火格子状部が設けられているペレット用燃焼ケースを備えるペレットストーブにおいて、
前記ペレット用燃焼ケースの上に載置されるように設けられ、薪状固形燃料を受けて燃焼させるようにケース状に形成されていると共に、少なくとも下面が火格子状に設けられている薪用燃焼ケースを備えることを特徴とするペレットストーブ。
【請求項２】
前記薪用燃焼ケースに設けられた下面の火格子は、前記下面の左右方向の中央部分が、他の部分と比較して広い開口となるように設けられ、左右の部分が、前記中央部分側が高い傾斜した形状に設けられていることを特徴とする請求項１記載のペレットストーブ。
【請求項３】
前記薪用燃焼ケースの側壁部が上方へ向かって拡開する傾斜面状に設けられ、該側壁部に前記燃焼用の空気が前記ペレット用燃焼ケース内から流入できるように通気孔が設けられていることを特徴とする請求項１又は２記載のペレットストーブ。
【請求項４】
前記木質ペレット燃料を供給するために前記ペレット用燃焼ケース内へ臨むように設けられたペレット投入口を塞がないように前記薪用燃焼ケースの後方の側壁部に凹み部が設けられていることを特徴とする請求項１〜３のいずれかに記載のペレットストーブ。
【請求項５】
前記請求項１〜４のいずれかに記載のペレットストーブに用いられていることを特徴とするペレットストーブに用いる薪用燃焼ケース。
【発明の詳細な説明】
【技術分野】
【０００１】
この発明は、木質ペレット燃料を自動的に供給し、排気ファンによって強制的に排気することで燃焼用の空気が適切に供給されるように設けられているペレットストーブ、及びそれに用いる薪用燃焼ケースに関する。
【背景技術】
【０００２】
従来、図５に示すような木質ペレット燃料１０を燃焼させる一般的なペレットストーブにあっては、薪状固形燃料を同時に燃焼させることを想定していない。これは、両燃料を同時に燃焼させると、ペレットストーブにおける燃焼を適切に制御できるという利点を失い易いためである。また、木質ペレット燃料はコスト高であり、ペレット製造工場の建設費用も多額となるため、ペレットストーブは普及しにくい状況にある。
一方、間伐材や果樹の剪定木などから薪状固形燃料を容易に入手できる場合、ペレットストーブで燃焼させたいという潜在的な需要がある。そのような薪状固形燃料のコストは極めて低く、経済的である。
【０００３】
これに対して、従来のペレットストーブでは投入できなかった薪や他の植物由来の固形燃焼が燃せる燃焼器具が提案されている（特許文献１参照）。この燃焼機器は、底部内側に燃焼ポットが取付けられた燃焼室を有し、その燃焼室内で燃料を燃やして発生した燃焼ガスを外部に強制排気することにより燃焼室内の気圧を低下させて燃焼室内に外気を強制吸入する強制給排気構造を有する燃焼器具であって、その燃焼室内の底部に取付けられた燃焼ポットの上端外周が、燃焼室内に内接し或いは僅かな間隙を有して配置され、その燃焼ポットの周壁の一部或いは全周が傾斜した周壁を有するホッパ型になっている。
【０００４】
この構造は、大きな熱量を出力する大型のストーブであっては適しているが、熱量が所定の範囲内に限定される通常のペレットストーブについては、対応しにくいものとなっている。また、この構造では、種々の燃料を混在させて燃焼させた場合、ペレットストーブの利点である着火の自動化や発熱量制御の自動化が難しくなりやすい。
【先行技術文献】
【特許文献】
【０００５】
【特許文献１】特開２００８−１０７００５号公報（第１頁）
【発明の概要】
【発明が解決しようとする課題】
【０００６】
ペレットストーブ及びそれに用いる薪用燃焼ケースに関して解決しようとする問題点は、木質ペレット燃料と薪状固形燃料とを混在して燃焼させると、適切に燃焼させることが難しく、ペレットストーブの利点である燃焼にかかる自動的なコントロールを適切に行いにくい点ことにある。
そこで本発明の目的は、木質ペレット燃料と薪状固形燃料とを同時且つ適切に燃焼できると共に、燃焼にかかる自動的且つ適切なコントロールが可能なペレットストーブ及びそれに用いる薪用燃焼ケースを提供することにある。
【課題を解決するための手段】
【０００７】
本発明は、上記目的を達成するために次の構成を備える。
本発明にかかるペレットストーブの一形態によれば、木質ペレット燃料を自動的に供給し、排気ファンによって強制的に排気することで燃焼用の空気が供給されるように設けられ、供給された前記木質ペレット燃料を受けて燃焼させるようにケース状に形成されて前記燃焼用の空気が流入できるように火格子状部が設けられているペレット用燃焼ケースを備えるペレットストーブにおいて、前記ペレット用燃焼ケースの上に載置されるように設けられ、薪状固形燃料を受けて燃焼させるようにケース状に形成されていると共に、少なくとも下面が火格子状に設けられている薪用燃焼ケースを備える。
【０００８】
また、本発明にかかるペレットストーブの一形態によれば、前記薪用燃焼ケースに設けられた下面の火格子は、前記下面の左右方向の中央部分が、他の部分と比較して広い開口となるように設けられ、左右の部分が、前記中央部分側が高い傾斜した形状に設けられていることを特徴とすることができる。
【０００９】
また、本発明にかかるペレットストーブの一形態によれば、前記薪用燃焼ケースの側壁部が上方へ向かって拡開する傾斜面状に設けられ、該側壁部に前記燃焼用の空気が前記ペレット用燃焼ケース内から流入できるように通気孔が設けられていることを特徴とすることができる。
また、本発明にかかるペレットストーブの一形態によれば、前記木質ペレット燃料を供給するために前記ペレット用燃焼ケース内へ臨むように設けられたペレット投入口を塞がないように前記薪用燃焼ケースの後方の側壁部に凹み部が設けられていることを特徴とすることができる。
【００１０】
本発明にかかるペレットストーブに用いる薪用燃焼ケースの一形態によれば、上記に記載のペレットストーブに用いられていることを特徴とする。
【発明の効果】
【００１１】
本発明のペレットストーブ及びそれに用いる薪用燃焼ケースによれば、木質ペレット燃料と薪状固形燃料とを同時且つ適切に燃焼できると共に、燃焼にかかる自動的且つ適切なコントロールが可能であるという特別有利な効果を奏する。
【図面の簡単な説明】
【００１２】
【図１】本発明に係るペレットストーブの形態例を説明する断面図である。
【図２】本発明に係る薪用燃焼ケースの形態例を示す斜視図である。
【図３】本発明に係る薪用燃焼ケースの他の形態例を示す平面図である。
【図４】図３の形態例の使用状態を説明する前方から見た断面図である。
【図５】従来のペレットストーブを説明する側方から見た断面図である。
【発明を実施するための形態】
【００１３】
以下、本発明に係るペレットストーブ及びそれに用いる薪用燃焼ケースの最良の形態例を、添付図面（図１〜４）に基づいて詳細に説明する。
木質ペレット燃料１０を自動的に供給する木質ペレット燃料供給機構と、排気ファン１９によって強制的に排気することで燃焼用の空気が適切に供給されるように送風機構が設けられている。
【００１４】
燃料供給機構は、図１に示すように、ペレットタンク１１と、ペレット送り装置１２（詳細は省略）と、ペレット供給路１３と、ペレット投入口１４とを備えている。これによれば、木質ペレット燃料１０の送り量を調整できるから、その木質ペレット燃料１０のペレット用燃焼ケース２０への投入量を増減でき、ストーブの発熱量を自動的に調整できる。
【００１５】
また、送風機構は、図１に示すように、給気路１５と、ペレット用燃焼ケース２０の下部に設けられて給気路１５から流入した空気を受ける空気室１５ａと、燃焼室１６と、熱交換部１７を含む排気路１８と、排気を強制的に排出させるための排気ファン１９とを備えている。これによれば、新鮮な空気を燃焼室１６内に好適に導入することができ、熱交換部１７で室内に吐出される温風との間で熱交換を行って冷却された空気を、排気ファン１９によって適宜に排出できる。また、２９は温風用ファン、２８は温風路、２７は温風吐出口である。なお、以上の機構は、一般的なペレットストーブに既に採用されているものである。
【００１６】
２０はペレット用燃焼ケースであり、供給された木質ペレット燃料１０を受けて燃焼させるようにケース状に形成されている。このペレット用燃焼ケース２０には燃焼用の空気が流入できるように火格子状部２１が設けられている。本形態例においては、ペレット用燃焼ケース２０の下面及び側面に、燃焼用の空気が通過できる通気孔２２が設けられて火格子状部２１になっている。なお、火格子状部２１とは、ロストルのことであり、その形状が格子に限定されるものではなく、適切な通気孔２２が形成されていればよい。従って、その火格子状部２１の形状は、柵状や網状、或いは有孔板状等の通気性のある形状の全てを含む。
【００１７】
３０は薪用燃焼ケースであり、ペレット用燃焼ケース２０の上に載置されるように設けられ、薪状固形燃料５０を受けて燃焼させるようにケース状に形成されている（図２参照）。この薪用燃焼ケース３０においては、少なくとも下面３１が火格子状に設けられている。なお、火格子状とは、ロストル形状のことであり、その形状が格子に限定されるものではなく、適切な通気開口３２が形成されていればよい。従って、その火格子状とは、柵状や網状、或いは有孔板状等の通気性のある形状の全てを含む。図２に示す形態例では、底部である下面３１が柵状の火格子３３によって設けられている。
【００１８】
これによれば、木質ペレット燃料１０が燃焼する際に立ち上る炎が、下面３１の火格子状の通気開口３２を通過して薪状固形燃料５０にまで達する。また、通気開口３２を通して、燃焼用の空気が好適に流入することができる。これにより、薪状固形燃料５０が適切に着火でき、好適に燃焼することができる。
【００１９】
また、この薪用燃焼ケース３０は、薪状固形燃料５０の入る空間（容積）が限定的になっている。つまり、燃焼される薪状固形燃料５０のサイズが、一定の大きさより小さいものだけが供給されることになる。従って、ストーブの発熱量が自然に制限されることになる。このため、発熱量の範囲が規定されているペレットストーブにあっても、無理なく木質ペレット燃料１０と薪状固形燃料５０を同時且つ適切に燃焼させることができる。
【００２０】
図３に示す形態例の薪用燃焼ケース３０に設けられた下面３１の火格子３３は、下面の左右方向の中央部分３５が、他の部分と比較して広い開口となるように設けられ、左右の部分３３ａ、３３ｂが、中央部分３５側が高い傾斜した形状に設けられている。
これによれば、図４に示すように、限定されたサイズの薪状固形燃料５０を、ペレット用燃焼ケース２０の上方であって左右の両側の限定的な位置に、適切に置くことができる。このように薪状固形燃料５０が位置するため、木質ペレット燃料１０の炎が適切に上がり、その木質ペレット燃料の燃焼が妨げられない。
【００２１】
なお、薪状固形燃料５０とは、一般的な薪や、その薪に相当するサイズの固形燃料のことであって、木質ペレットに比べると大きな固形燃料になっている。これに伴い、火格子３３の通気開口３２のサイズは、その薪状固形燃料５０が少なくとも落下しないで適切に載置されるように設定されている。このため、火格子３３の通気開口３２の大きさは、ペレット用燃焼ケース２０の火格子状部２１の開口（通気孔２２）よりも大きく設定されている。このように火格子３３の開口が大きいことで、燃焼して膨張した空気の流通が適切になされ、新鮮な空気を好適に取り入れることができ、燃焼効率を向上できる。
【００２２】
また、薪用燃焼ケース３０の側壁部３０ａ、３０ｂ、３０ｃ、３０ｄが上方へ向かって拡開する傾斜面状に設けられている。そして、その側壁部３０ａ、３０ｂ、３０ｃ、３０ｄに、燃焼用の空気がペレット用燃焼ケース２０内から流入できるように通気孔３６が設けられている。なお、本形態例では、通気孔３６が、四面の側壁部３０ａ、３０ｂ、３０ｃ、３０ｄの全面に設けられているが、この形態に限定されるものではなく、少なくとも一面に設けられていればよく、その形状も前記火格子状部２１と同様に限定されるものではない。
これによれば、薪状固形燃料５０を適切に受けて、適切な位置に保持できる。また、燃焼空気の流通を良くして、適切に燃焼させることができる。
【００２３】
３７は凹み部であり、木質ペレット燃料１０を供給するためにペレット用燃焼ケース２０内へ臨むように設けられたペレット投入口１４を塞がないように、薪用燃焼ケース３０の後方の側壁部３０ａに設けられている。
これによれば、ペレット投入口１４を塞がないで、ペレット用燃焼ケース２０に対する薪用燃焼ケース３０の高さ位置を、適正に配置することができる。
この凹み部３７は、木質ペレット燃料１０の投入を邪魔しないように形成されればよいが、図１〜３の形態例に示すように、ペレット供給路１３の傾斜に準じるような斜面３７ａに設ければよい。なお、その凹み部３７を形成する斜面３７ａは、投入される木質ペレット燃料１０の落下をガイド及び保護するカバー部材として機能させることもできる。
【００２４】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２５】
１０  木質ペレット燃料
１４  ペレット投入口
１５  給気路
１６  燃焼室
１８  排気路
１９  排気ファン
２０  ペレット用燃焼ケース
２１  火格子状部
２２  通気孔
３０  薪用燃焼ケース
３１  下面
３２  通気開口
３３  火格子
３５  中央部分
３６  通気孔
３７  凹み部
【図１】
2010230186.tif 000003
【図２】
2010230186.tif 000004
【図３】
2010230186.tif 000005
【図４】
2010230186.tif 000006
【図５】
2010230186.tif 000007